(57)【要約】【課題】外扉の広告パネル表示部に配した電照板を、少ないパーツ数の押え金具で簡単に固定できるように改良した電照板の取付構造を提供する。【解決手段】外扉２の前面に広告パネルの表示窓２ａを開口してその内側に配した電照板の周縁を裏面側から電照板押え金具を介して挟持固定した自動販売機の広告パネル表示装置において、前記押え金具を、電照板の上辺および左右辺を保持する逆Ｕ形の上部押え金１６と、電照板の下辺を保持する直線状の下部押え金１７とに分けた上で、上部押え金および下部押え金を表示窓の内側に沿わせて外扉の裏面に溶接接合した上下の取付座金１３ａ，１３ｂに止めねじ１４で締結し、さらに下部押え金に左右両端部にスリット状の係合溝１７ａを形成し、押え金の取付け位置で上部押え金の左右辺の先端部１６ａを下部押え金の係合溝に嵌入して押さえ込み保持する。【選択図】　　　図１
2004030415.tif 000002
【特許請求の範囲】
【請求項１】
外扉の前面に広告パネルの表示窓を開口してその内側に電照板を配し、該電照板の周縁を裏面側から電照板押え金具を介して外扉に挟持固定した自動販売機の広告パネル表示装置において、
前記押え金具を、電照板の上辺および左右辺を保持する逆Ｕ形の上部押え金と、電照板の下辺を保持する直線状の下部押え金との二つのパーツに分けた上で、前記の上部押え金および下部押え金を外扉の扉裏面に設けた取付座金にねじ締結したことを特徴とする自動販売機の広告パネル表示装置。
【請求項２】
請求項１記載の広告パネル表示装置において、上部押え金の左右辺部の先端に対向して下部押え金にスリット状の係合溝を形成し、各押え金の取付け位置で上部押え金の左右辺部の先端を前記係合溝に嵌入して押さえ込み保持したことを特徴とする自動販売機の広告パネル表示装置。
【発明の詳細な説明】
【０００１】
【発明の属する技術分野】
本発明の自動販売機の外扉に設けた広告パネル表示装置に関し、詳しくは広告パネルの表示窓に配した電照板の取付構造に係わる。
【０００２】
【従来の技術】
まず、頭記した自動販売機の構成を図３（ａ），（ｂ）　に示す。図において、１は自動販売機の本体キャビネット、２はその前面外扉であり、該外扉２には商品見本を展示するディスプレイ室３と並べてその下方には、広告パネル表示部４を画成している。なお、５は商品取出口、６はコイン投入口、７は紙幣挿入口、８は釣銭返却口、９は扉ロックである。
【０００３】
また、前記の広告パネル表示部４は、図３（ｂ）　で示すように外扉２の前面に方形状の表示窓２ａを開口してその内方に画成されており、この表示窓２ａの内側には電照板（透明樹脂板）１０を設置した上で、この電照板１０の周縁をその裏面側から電照板押え金具１１を介して外扉２との間に挟持固定し、その背後側に広告パネル１２を配置して表示するようにしている。なお、１３は表示窓２ａの周縁に沿って外扉２の裏面に溶接接合した取付座金、１４は押え金１１を取付座金１３に締結する止めねじ、１５は電照板１２の周縁と外扉２と間に介挿した防水パッキンである。
【０００４】
次に、前記した電照板押え金具１１の従来構造を図４に示す。すなわち、押え金具は、電照板１０の周囲四辺に対応して上下および左右に分割した４片のパーツからなる押え金１１ａ〜１１ｄで構成しており、各片の押え金１１ａ〜１１ｄをそれぞれ表示窓２ａの周縁に沿って外扉２の裏面に溶接接合した上下および左右辺の取付座金１３ａ〜１３ｄに止めねじ１４により締結して図３のように電照板１０を表示窓２ａの周縁との間で挟持固定するようにしている。ここで、押え金１１ａ〜１１ｄを締結する止めねじ１４は、電照板の長辺に対応する上下の押え金に３本，短辺に対応する左右の押え金には２本ずつ、合計１０本の止めねじ１４を使って固定している。
【０００５】
【発明が解決しようとする課題】
ところで、前記した従来の電照板取付け構造は、電照板１０の押え金具１１が押え金１１ａ〜１１ｄの４パーツに分けて構成されており、各押え金ごとに２ないし３本の締結ねじ１４を使ってねじ止めしている。このために、部品点数，組立工数が多くなり、外扉の表示窓への電照板の組付け，および自動販売機のロケーション先で破損した電照板を交換する際に行う電照板押え金具１１の取付け，取り外し作業に手間が掛かることから、その改善策が望まれている。
【０００６】
本発明は上記の点に鑑みなされたものであり、その目的は、外扉の広告パネル表示部に配した電照板を、少ないパーツ数の電照板押え金具で組立性よく定位置に固定できるように改良した自動販売機の広告パネル表示装置を提供することにある。
【０００７】
【課題を解決するための手段】
上記目的を達成するために、本発明によれば、外扉の前面に広告パネルの表示窓を開口してその内側に電照板を配し、該電照板の周縁を裏面側から電照板押え金具を介して外扉に挟持固定した自動販売機の広告パネル表示装置において、
前記押え金具を、電照板の上辺および左右辺を保持する逆Ｕ形の上部押え金と、電照板の下辺を保持する直線状の下部押え金との二つのパーツに分けた上で、前記の上部押え金および下部押え金を外扉の扉裏面に設けた取付座金にねじ締結するものする（請求項１）。
【０００８】
また、本発明によれば、前記構成の実施態様として、上部押え金の左右辺部の先端に対向して下部押え金にスリット状の係合溝を形成し、各押え金の取付け位置で上部押え金の左右辺部の先端を前記係合溝に嵌入して押さえ込み保持するようにする（請求項２）。
上記構成によれば、電照板押え金具のパーツが従来の４個から２個に減少するとともに、その押え金を締結する止めねじの所要本数も少なくて済む。これにより、電照板を外扉に組付ける組立工程，あるいは破損した電照板を自動販売機のロケーション先で交換する際の作業性を大幅に改善できる。
【０００９】
【発明の実施の形態】
以下、本発明の実施の形態を図１，図２に示す実施例に基づいて説明する。なお、実施例の図中で図３，図４に対応する部材には同じ符号を付してその説明は省略する。
すなわち、図示実施例においては、電照板１０の押え金具が、板金加工により逆Ｕ字形（門形）に成形された上部押え金１６と、直線状の下部押え金１７との二つのパーツからなる。また、下部押え金１７の左右両端部には、押え金具の組立位置で上部押え金１６の左右辺の先端部１６ａを嵌入して押さえ込むスリット状の係合溝１７ａが形成されている。
【００１０】
そして、外扉２に開口した表示窓２ａの内側に電照板１０を固定するには、前記した上部押え金１６を、その上辺部を外扉２の表示窓２ａの上辺に沿って扉裏面側に溶接接合した取付座金１３ａに当てがい、止めねじ１４（３本）により締結固定する。なお、上部押え金１６の左右辺部はねじレスとし、また図４における左右の取付座金１３ｃ，１３ｄは省略している。また、下部押え金１７は取付座金１３ｂに止めねじ１４（３本）により締結して固定するものとし、かつこの際に下部押え金１７の左右両端に形成したスリット状係合溝１７ａに、上部押え金１６の左右両辺から下方に突き出した先端部１６ａを嵌入して押さえ込むようにする。
【００１１】
【発明の効果】
以上述べたように、本発明によれば、外扉の前面に広告パネルの表示窓を開口してその内側に電照板を配し、該電照板の周縁を裏面側から電照板押え金具を介して外扉に挟持固定した自動販売機の広告パネル表示装置において、
前記押え金具を、電照板の上辺および左右辺を保持する逆Ｕ形の上部押え金と、電照板の下辺を保持する直線状の下部押え金との二つのパーツに分けた上で、前記の上部押え金および下部押え金を外扉の扉裏面に設けた取付座金にねじ締結したことにより、電照板押え金具のパーツ数を従来の４個から２個に削減できるとともに、その押え金を固定する締結ねじの所要本数も少なくて済み、これにより電照板を外扉に組付ける組立工程，あるいは破損した電照板を自動販売機のロケーション先で交換する際の作業性を大幅に改善できる。
【００１２】
また、上記の構成に加えて、下部押え金の左右両端部にスリット状の係合溝を形成し、各押え金の取付け位置で上部押え金の左右辺部の先端を前記係合溝に嵌入して押さえ込むようにした請求項２の構成を併用することで、必要な止めねじ本数を削減して組立作業性のさらなる改善が図れる。
【図面の簡単な説明】
【図１】本発明の実施例による広告パネル表示装置の電照板押え金具の取付構造図で、（ａ）　は外扉の表示窓部を裏面側から見た電照板押え金具の分解斜視図、（ｂ）　は押え金具の組立状態の部分拡大図
【図２】図１の組立状態を表す広告パネル表示部の縦断側面図
【図３】本発明の実施対象となる自動販売機の構成図で、（ａ）　は正面図、（ｂ）　は外扉に画成した広告パネル表示部の縦断側面図
【図４】外扉の表示窓部を裏面側から見た電照板押え金具の従来における取付構造を表す分解斜視図
【符号の説明】
２　　自動販売機の外扉
２ａ　表示窓
４　　広告パネル表示部
１０　　電照板
１２　　広告パネル
１３　　押え金の取付座金
１４　　締結ねじ
１６　　逆Ｕ字形の上部押え金
１７　　下部押え金
１７ａ　係合溝
【図１】
2004030415.tif 000003
【図２】
2004030415.tif 000004
【図３】
2004030415.tif 000005
【図４】
2004030415.tif 000006